(57)【要約】【課題】洗浄機能を備えたレンジフードにおいて、排水容器をフード本体から外す際に、水がこぼれることを抑制したレンジフードを提供する。【解決手段】排水容器５は、トレイ部１６と蓋部１７と可動蓋２０とを有し、蓋部１７は開口部１８を有し、可動蓋２０は可動板部２７と浮力部１９とを有し、排水容器５が装着部材６を介してフード本体１に装着されている場合、排水路４を流れる排水４１は開口部１８を介してトレイ部１６に送り込まれ、排水４１を溜めた排水容器５がフード本体１から取り外された場合、浮力部１９が該排水４１によって受ける浮力により、可動蓋２０が上昇する力を受け、可動板部２７が開口部１８を閉じることを特徴とするレンジフード。【選択図】図３
2018136113.tif 000002
【特許請求の範囲】
【請求項１】
汚染された空気を吸込む吸込口を有するフード本体と、
前記フード本体の内部に設けられ、前記吸込口から吸込まれた空気を排気する排気装置と、
前記排気装置の羽根車に設けられ、油を捕集する油捕集機構部と、
前記油捕集機構部を浸漬させるための洗浄ケーシングと、
前記洗浄ケーシングからの排水を流す筒状の排水路と、
前記排水路から流れる排水を溜める排水容器と、
前記フード本体の内部に設けられ、前記排水容器を前記フード本体に装着するための装着部材とを備えたレンジフードであって、
前記排水容器は、トレイ部と蓋部と可動蓋とを有し、
前記蓋部は開口部を有し、
前記可動蓋は可動板部と浮力部とを有し、
前記排水容器が前記装着部材を介して前記フード本体に装着されている場合、前記排水路を流れる排水は前記開口部を介して前記トレイ部に送り込まれ、
排水を溜めた前記排水容器が前記フード本体から取り外された場合、前記浮力部が該排水によって受ける浮力により、前記可動蓋が上昇する力を受け、前記可動板部が前記開口部を閉じることを特徴とするレンジフード。
【請求項２】
前記排水容器が前記フード本体に装着されている場合、排水が前記トレイ部に溜まることによって前記可動蓋が上昇する力が増加しても、前記可動板部の上面の一部と前記排水路の下面の一部が接触することにより、前記可動蓋がそれ以上上昇せずに前記開口部が開いた状態を維持することを特徴とする請求項１に記載のレンジフード。
【請求項３】
前記浮力部は、下面を開放した受部と上面を開放したカップ部とから構成したことを特徴とする請求項１に記載のレンジフード。
【請求項４】
前記浮力部の底面を開放したことを特徴とする請求項１に記載のレンジフード。
【請求項５】
前記排水容器が前記フード本体に装着されている場合、前記可動板部の上面の一部と前記排水路の下面の一部が接触することにより、前記可動蓋がそれ以上上昇せずに前記開口部が開いた状態を維持し、
前記可動板部の上面の一部と前記排水路の下面の一部が接触している状態において、前記浮力部の前記底面は略水平であることを特徴とする請求項４に記載のレンジフード。
【請求項６】
前記浮力部は内部に気体を密閉した密閉構造としたことを特徴とする請求項１に記載のレンジフード。
【請求項７】
前記可動蓋にバネを接続し、
前記バネは、前記可動蓋に対し、前記可動板部が前記開口部を閉じる方向に力を加えることを特徴とする請求項１に記載のレンジフード。
【請求項８】
前記排水容器が前記フード本体に装着されている場合、前記可動板部の上面の一部と前記排水路の下面の一部が接触することにより、前記可動蓋がそれ以上上昇せずに前記開口部が開いた状態を維持し、
前記可動板部の上面の一部と前記排水路の下面の一部が接触する部分を接触部とし、
前記排水路の下面において、前記接触部と反対側に切り込み形状を追加したことを特徴とする請求項１に記載のレンジフード。
【請求項９】
前記排水容器が前記フード本体に装着されている場合、前記可動板部の上面の一部と前記排水路の下面の一部が接触することにより、前記可動蓋がそれ以上上昇せずに前記開口部が開いた状態を維持し、
前記排水路の下面は、前記可動板部に沿った斜め形状であり、
前記排水路の側面の一部を開放した正面排水口を有し、
前記排水路を流れる排水は前記正面排水口を介して前記トレイ部に送り込まれることを特徴とする請求項１に記載のレンジフード。
【請求項１０】
前記排水路は、排水口と、排水路蓋と、を備え、
前記排水口は、前記排水路の下面に設けられ、前記開口部と連通し、
前記排水路蓋は、前記排水口を塞ぐように設けられ、前記排水路から前記排水容器への排水の流入を切り替え、
前記可動板部の上面に、前記排水容器から前記排水路に向かって突出する押し上げピンを備え、
前記排水容器が前記フード本体に装着されている場合、前記押し上げピンは前記排水路蓋を押し上げ、前記排水路を流れる排水は前記排水口を介して前記トレイ部に送り込まれ、
排水を溜めた前記排水容器が前記フード本体から取り外された場合、前記排水路蓋が前記排水口を塞ぐことを特徴とする請求項１〜９の何れか１項に記載のレンジフード。
【請求項１１】
前記排水路蓋は、前記排水路に接続された端部を支点として回動し、
前記押し上げピンは、前記浮力部と前記端部との間における前記可動板部の上面に設けられることを特徴とする請求項１０に記載のレンジフード。
【発明の詳細な説明】
【技術分野】
【０００１】
本発明は、洗浄機能を備えたレンジフードに関するものである。
【背景技術】
【０００２】
従来、この種のレンジフードは、調理で発生する油煙や埃等を捕集する目的として、油捕集機構部が取り付けられていた。
【０００３】
この油捕集機構部は使用とともに汚れが付着するため、性能が低下したり、捕集部から油垂れが生じるので、定期的に掃除を行う必要があった。なお、それは排気用に設けられた羽根車についても同様である。
【０００４】
掃除の手間を軽減する目的で、油捕集機構部を自動的に浄化する手段として、油捕集機構部に駆動装置を取り付けて回転させることにより、遠心力で汚れを除去する方法が知られている（例えば、特許文献１参照）。
【０００５】
以下、そのレンジフードについて図１９を参照しながら説明する。
【０００６】
図１９に示すように、汚れた空気１０１は、吸込口１０２を通過して排気ファン１０３の上流に配置されたフィルター１０４を通過する。このフィルター１０４を回転させる駆動装置１０５と、フィルター１０４の汚れを検知するセンサー１０６とを備えることで、フィルター１０４の汚れを検知してフィルター１０４を駆動装置１０５で回転させ、汚れを遠心力で除去する。
【０００７】
また、給水部（給水容器）に溜められた水を羽根車に設けられた油捕集機構部に注入し、洗浄する方法も知られている（例えば、特許文献２参照）。
【先行技術文献】
【特許文献】
【０００８】
【特許文献１】特開平３−１６４６３９号公報
【特許文献２】特開２０１４−６２７１２号公報
【発明の概要】
【発明が解決しようとする課題】
【０００９】
このような従来のレンジフードにおいては、油捕集機構部の洗浄後に生じる排水を溜める排水容器を設ける場合、排水容器をフード本体から外す際に、水がこぼれるおそれがあるという課題を有していた。
【００１０】
そこで本発明は、上記従来の課題を解決するものであり、排水容器をフード本体から外す際に、水がこぼれることを抑制するレンジフードを提供することを目的とする。
【課題を解決するための手段】
【００１１】
そして、この目的を達成するために、本発明の一態様に係るレンジフードは、汚染された空気を吸込む吸込口を有するフード本体と、前記フード本体の内部に設けられ、前記吸込口から吸込まれた空気を排気する排気装置と、前記排気装置の羽根車に設けられ、油を捕集する油捕集機構部と、前記油捕集機構部を浸漬させるための洗浄ケーシングと、前記洗浄ケーシングからの排水を流す筒状の排水路と、前記排水路から流れる排水を溜める排水容器と、前記フード本体の内部に設けられ、前記排水容器を前記フード本体に装着するための装着部材とを備えたレンジフードであって、前記排水容器は、トレイ部と蓋部と可動蓋とを有し、前記蓋部は開口部を有し、前記可動蓋は可動板部と浮力部とを有し、前記排水容器が前記装着部材を介して前記フード本体に装着されている場合、前記排水路を流れる排水は前記開口部を介して前記トレイ部に送り込まれ、排水を溜めた前記排水容器が前記フード本体から取り外された場合、前記浮力部が該排水によって受ける浮力により、前記可動蓋が上昇する力を受け、前記可動板部が前記開口部を閉じることとしたものであり、これにより所期の目的を達成するものである。
【発明の効果】
【００１２】
本発明によれば、排水容器をフード本体から外す際に、水がこぼれることを抑制したレンジフードを得ることができる。
【図面の簡単な説明】
【００１３】
【図１】本発明の実施の形態１のレンジフードを示す側面構成図
【図２】同レンジフードの排水容器を示す斜視図
【図３】排水容器の分解斜視図
【図４】排水を排出する前の排水容器を示す断面構成図
【図５】排水を排出した後の排水容器を示す断面構成図
【図６】取り外した後の排水容器を示す断面構成図
【図７】密閉構造とした浮力部を示す断面構成図
【図８】受部およびカップ部から構成した浮力部を示す分解斜視図
【図９】同浮力部の拡大斜視図
【図１０】可動蓋にバネを接続した排水容器を示す断面構成図（（ａ）は装着状態の排水容器であり、（ｂ）は取り外された状態の排水容器である）
【図１１】切り込み形状を有する排水路を示す断面構成図
【図１２】斜め形状を有する排水路を示す断面構成図
【図１３】押し上げピンを備えた排水容器を示す分解斜視図
【図１４】排水路および排水容器を示す断面図
【図１５】押し上げピンを備えた可動蓋を示す斜視図
【図１６】排水容器を取り付けた状態を示す断面構成図
【図１７】排水容器を取り外す工程を示す断面構成図
【図１８】排水容器が取り外された状態を示す断面構成図
【図１９】従来のレンジフードを示す側面構成図
【発明を実施するための形態】
【００１４】
本発明の一態様に係るレンジフードは、汚染された空気を吸込む吸込口を有するフード本体と、前記フード本体の内部に設けられ、前記吸込口から吸込まれた空気を排気する排気装置と、前記排気装置の羽根車に設けられ、油を捕集する油捕集機構部と、前記油捕集機構部を浸漬させるための洗浄ケーシングと、前記洗浄ケーシングからの排水を流す筒状の排水路と、前記排水路から流れる排水を溜める排水容器と、前記フード本体の内部に設けられ、前記排水容器を前記フード本体に装着するための装着部材とを備えたレンジフードであって、前記排水容器は、トレイ部と蓋部と可動蓋とを有し、前記蓋部は開口部を有し、前記可動蓋は可動板部と浮力部とを有し、前記排水容器が前記装着部材を介して前記フード本体に装着されている場合、前記排水路を流れる排水は前記開口部を介して前記トレイ部に送り込まれ、排水を溜めた前記排水容器が前記フード本体から取り外された場合、前記浮力部が該排水によって受ける浮力により、前記可動蓋が上昇する力を受け、前記可動板部が前記開口部を閉じる構成を有する。
【００１５】
排水容器をレンジフード本体から取り外す際、トレイ部に溜められた水がゆれるが、可動板部が開口部を閉じることにより、開口部から乗り上げようとする水を抑えることができる。このため、排水容器から水がこぼれることを抑制できるレンジフードを得ることができる。
【００１６】
以下、本発明の実施の形態について図面を参照しながら説明する。
【００１７】
（実施の形態１）
図１に示すように、レンジフードは、フード本体１と、排気装置２と、洗浄ケーシング３と、排水路４と、排水容器５と、装着部材６とを備える。
【００１８】
フード本体１は吸込口７を有する。調理器（図示せず）の上方において、調理にて発生した油煙や周囲に浮遊する埃である微小物を捕集する吸込口７を使用者（図示せず）が立っている前方側に設ける。
【００１９】
フード本体１の天面には、屋外と連通したダクト８を介して連通する吐出口９を設ける。フード本体１の内部には遠心ファンである羽根車１０を包括した洗浄ケーシング３を配設する。
【００２０】
排気装置２は、羽根車１０およびモータ１１で構成される。
【００２１】
フード本体１の内部において、羽根車１０を介し吸込口７と吐出口９を結ぶ通風路１２を形成している。
【００２２】
フード本体１内の吸込口７の近傍には平坦な整流板１３が設けられる。
【００２３】
羽根車１０には油や埃を捕集するための油捕集機構部１４が設けられる。
【００２４】
洗浄ケーシング３内において、羽根車１０の外側の下方に羽根車１０を浸漬させるための貯水部(図示せず)が設けられている。
【００２５】
洗浄ケーシング３の下方には洗浄ケーシング３から排出する水を溜める排水容器５と、洗浄ケーシング３から排水容器５に排水を導く排水路４が設けられる。
【００２６】
装着部材６はフード本体１の内部奥側に設けられる。
【００２７】
排水容器５は、装着部材６に装着され、装着部材６を介してフード本体１に装着される。
【００２８】
ここで、本実施形態のレンジフードの基本的な内容を説明する。
【００２９】
油煙等を含む空気は、排気装置２によって吸込口７から吸い込まれ、通風路１２を通って、吐出口９から吐き出される。
【００３０】
この際、油捕集機構部１４に油等が付着する。油捕集機構部１４に付着した油煙や埃等を取り除くためには油捕集機構部１４を洗浄する必要がある。
【００３１】
洗浄は、洗浄ケーシング３内において羽根車１０および油捕集機構部１４の一部を水に浸した状態で、羽根車１０を回転させることにより行う。なお、洗浄中は弁（不図示）により、排水路４から水が排出されないようになっている。この弁は、例えば洗浄ケーシング３と排水路４との間に設けられる。
【００３２】
洗浄後の水は排水として排水路４を通って排水容器５に溜められる。
【００３３】
その後、使用者は、排水容器５をフード本体１から取り外して、排水容器５に溜まった水を捨てることにより、空になった排水容器５をフード本体１に装着することができる。
【００３４】
空になった排水容器５をフード本体１に装着することにより、洗浄後の排水を排水容器５に再度溜めることができる状態となる。
【００３５】
本実施形態では、排水容器５をフード本体１から外す際に水がこぼれにくくなるように、排水容器５の構成を工夫している。
【００３６】
以下、排水容器５について詳細に説明する。
【００３７】
図２に示すように、排水容器５は、トレイ部１６と蓋部１７と可動蓋２０とを有する。
【００３８】
トレイ部１６は水を溜めるものである。蓋部１７はトレイ部１６に蓋をするものである。
【００３９】
図３に示すように、蓋部１７は、排水路４を挿入する開口部１８を有する。
【００４０】
可動蓋２０は可動板部２７と浮力部１９とを有する。可動板部２７の一辺２７ａは蓋部１７に接続される。その一辺２７ａを回転軸として可動板部２７は可動する。その一辺２７ａから少し離れた位置に浮力部１９は設けられる。浮力部１９は可動板部２７の下面側に設けられる。なお、図３に示す可動板部２７および浮力部１９の形状は一例であり、この形状に限定されない。
【００４１】
また、蓋部１７の裏面には溜められた水の揺れを抑制する水ゆれ防止リブ部２１を設けてもよい。
【００４２】
図４に示すように、排水容器５は装着部材６を介してフード本体１に装着される。
【００４３】
洗浄後の排水４１が洗浄ケーシング３内に溜まっている。排水４１は弁（不図示）を閉じることにより排水路４に流れないようになっている。
【００４４】
筒状の排水路４は開口部１８を貫通している。すなわち、排水容器５が装着部材６に装着されている状態においては、排水路４は、可動蓋２０が開口部１８を塞がないように配置される。
【００４５】
なお、浮力部１９の底面１９ａは開放されていてもよい。底面１９ａを開放することで製造上の加工が容易になり部品点数を抑えることができる。
【００４６】
図５に示すように、弁（不図示）を開くと、排水４１は、排水路４を通過してトレイ部１６に溜まる。
【００４７】
排水４１がトレイ部１６に溜まった状態において、浮力部１９の中には空気２２があるため、浮力部１９および可動板部２７には上向きの浮力が働く。
【００４８】
ただし、可動板部２７の上方には排水路４があるため、可動板部２７の上面は排水路４の下面に接触することにより、可動板部２７はそれ以上上昇しないようになっている。
【００４９】
すなわち、蓋部１７の開口部１８は、可動蓋２０が重力などで下がることによって開いているが、排水４１の排出が進み、可動蓋２０が浮いてくると排水路４の下面に可動蓋２０が当たり、可動蓋２０はそれ以上浮かない。トレイ部１６への排水４１の排出が進行しても、開口部１８は開いた状態を保っている。
【００５０】
排水４１がトレイ部１６に溜まっていく途中で可動板部２７が開口部１８を塞がないようになっている。従って、洗浄ケーシング３からの排水４１の排出を良好に続けることができる。
【００５１】
図６に示すように、排水容器５をフード本体１から取り外すと、可動板部２７の上面と排水路４の下面との接触がなくなるため、可動蓋２０は空気２２の浮力により上昇し、可動板部２７が開口部１８を塞ぐようになる。
【００５２】
排水容器５に排水４１が溜まった状態で排水容器５をフード本体１から取り外す際、トレイ部１６に溜められた排水４１がゆれる。しかし、可動板部２７が開口部１８を閉じることにより、開口部１８から乗り上げようとする排水４１を抑えることができる。
【００５３】
このように、本実施形態によれば、排水容器５をフード本体１から外す際に、水がこぼれることを抑制したレンジフードを得ることができる。
【００５４】
なお、可動板部２７は、開口部１８を開閉するように可動するものである。ここで、開口部１８が閉じているとは可動板部２７が開口部１８を覆っている状態であり、開口部１８が開いているとは可動板部２７が開口部１８を覆っていない状態のことである。また、可動板部２７と浮力部１９は別部材で構成しても良いし、一体化していても良い。また、トレイ部１６に水が溜まっていないときは、排水路４の下面と可動板部２７は、互いに接触していてもよいし、接触していなくてもよい。
【００５５】
また、図４に示すように、排水容器５がフード本体１に装着されている場合、可動板部２７の上面の一部と排水路４の下面の一部が接触することにより、可動蓋２０がそれ以上上昇せずに開口部１８が開いた状態を維持し、可動板部２７の上面の一部と排水路４の下面の一部が接触している状態において、浮力部１９の底面１９ａは略水平（水平面に対して±５°または１０°以内の角度）であることが好ましい。
【００５６】
この構成によれば、浮力部１９の底面１９ａの磨耗を抑制できる。すなわち、底面１９ａとトレイ部１６の内底面とが接触および非接触を繰り返すことによって、底面１９ａは少しずつ磨耗するおそれがあるが、この磨耗を抑制できる。
【００５７】
また、底面１９ａを略水平にすることにより、図５に示すように、浮力部１９の内部に溜められる空気２２の量を増やすことができる。このため、浮力部１９が受ける浮力を高めることができる。この結果、排水容器５をフード本体１から取り外した直後において、浮力部１９はより大きな浮力を受けることができるため、可動板部２７は速やかに開口部１８を塞ぐことができる。このため、排水容器５を取り外す際、排水容器５からの水こぼれをさらに抑制することができる。
【００５８】
このように、図４の状態で底面１９ａが略水平になるようにすることで、底面１９ａの磨耗を抑制できるだけでなく、水こぼれ抑制効果も高めることができるのである。
【００５９】
図７に示すように、浮力部１９の底面１９ａを開放せずに、浮力部１９は内部に気体を密閉した密閉構造１５としてもよい。密閉構造１５の内部には空気２２ａが入っている。
【００６０】
このような構成とすることで、トレイ部１６に水が溜まった場合に、浮力部１９に対して確実な浮力を与えることができる。
【００６１】
図８に示すように、浮力部１９は、下面を開放した受部２３と上面を開放したカップ部２４とで構成してもよい。
【００６２】
このような構成とすることで、使用者にとって取り扱い易い形状にしつつ、浮力部１９に対して浮力を与えることができる。
【００６３】
カップ部２４は受部２３から取り外すことができるため、排水容器５を洗う際に、浮力部１９を洗い易くできる。すなわち、排水容器５のメンテナンス性を向上できる。
【００６４】
また、製造上の加工が簡易になりコストを抑えることもできる。
【００６５】
図９に示すように、受部２３に凸部２５を設け、カップ部２４に嵌め込み部２６を設けてもよい。
【００６６】
このような構成により、凸部２５を嵌め込み部２６に嵌め込むことで、受部２３にカップ部２４を容易に取り付けることができる。また、嵌め込み部２６を凸部２５から取り外すことで、カップ部２４を受部２３から容易に取り外すことができる。
【００６７】
図１０に示すように、可動蓋２０の可動板部２７に板バネ２８を接続してもよい。板バネ２８は、可動蓋２０に対し、可動板部２７が開口部１８を閉じる方向に力を加える構成としている。なお、板バネ２８以外のバネを用いることもできる。
【００６８】
このような構成とすることで、浮力部１９に対する浮力が無い或いは弱い場合であっても、板バネ２８等のバネは可動板部２７に対して開口部１８を閉じる方向に力を加えることができる。
【００６９】
この結果、水が溜まった排水容器５をフード本体１から取り外した直後において、バネによる力により、可動板部２７は速やかに開口部１８を塞ぐことができる。すなわち、可動板部２７には、浮力部１９が受ける浮力だけでなく、バネによる力も加わるため、可動板部２７は速やかに開口部１８を塞ぐことができる。このため、排水容器５を取り外す際、排水容器５からの水こぼれをさらに抑制することができる。
【００７０】
なお、浮力部１９に対する浮力が無い場合に、可動板部２７が開口部１８を閉じるように、バネ或いは板バネ２８の力を調整することも可能である。トレイ部１６に水が無い状態であっても、開口部１８を閉じる状態を維持ことにより、排水容器５を取り外した後に、異物がトレイ部１６に入ることを抑制することができる。
【００７１】
図１１に示すように、排水路４の下面４ａにおいて、切り込み形状２９を追加した構成としてもよい。
【００７２】
すなわち、排水容器５がフード本体１に装着されている場合、可動板部２７の上面の一部と排水路４の下面４ａの一部が接触する部分を接触部３０とし、排水路４の下面４ａにおいて、接触部３０と反対側に切り込み形状２９を追加した構成としてもよい。
【００７３】
このような構成とすることで、排水路４からトレイ部１６への水の流れをさらにスムーズにすることができる。
【００７４】
なお、図１１において、切り込み形状２９は、排水路４の第１側面４ｂの下端部を切り欠いたような形状となっているため、下面４ａと同様に開放されている。下面４ａおよび切り込み形状２９は開放されているため、排水４１は、水の流れ４２に示したように、下面４ａおよび切り込み形状２９を通過してトレイ部１６に流れる。また、図１１では、排水路４の第１側面４ｂおよび第２側面４ｃは開放されていない。
【００７５】
図１２に示すように、排水路４の下面４ａの形状を可動板部２７に沿った斜め形状３１としてもよい。
【００７６】
このような構成とすることで、排水路４の下面４ａと可動板部２７との接触部３０の面積を大きくすることができる。このため、排水４１の流れを確保しつつ、排水路４の下面４ａの磨耗を抑制できる。
【００７７】
なお、図１２において、排水路４の第１側面４ｂの下部は開放されているため、排水４１は、水の流れ４３に示したように、第１側面４ｂの下部を通過してトレイ部１６に流れる。また、図１２では、斜め形状３１である下面４ａは開放されていない。
【００７８】
また、図１３に示すように、排水路４の第１側面４ｂの一部を開放した正面排水口４５を有する構成としてもよい。これにより、排水路４を流れる排水は正面排水口４５を介してトレイ部１６に送り込まれる。
【００７９】
以下、実施の形態について補足する。
【００８０】
本発明の一態様に係るレンジフードは、汚染された空気を吸込む吸込口７を有するフード本体１と、フード本体１の内部に設けられ、吸込口７から吸込まれた空気を排気する排気装置２と、排気装置２の羽根車１０に設けられ、油を捕集する油捕集機構部１４と、油捕集機構部１４を浸漬させるための洗浄ケーシング３と、洗浄ケーシング３からの排水４１を流す筒状の排水路４と、排水路４から流れる排水４１を溜める排水容器と、フード本体１の内部に設けられ、排水容器５をフード本体１に装着するための装着部材６とを備えたレンジフードであって、排水容器５は、トレイ部１６と蓋部１７と可動蓋２０とを有し、蓋部１７は開口部１８を有し、可動蓋２０は可動板部２７と浮力部１９とを有し、排水容器５が装着部材６を介してフード本体１に装着されている場合、排水路４を流れる排水４１は開口部１８を介してトレイ部１６に送り込まれ、排水４１を溜めた排水容器５がフード本体１から取り外された場合、浮力部１９が該排水４１によって受ける浮力により、可動蓋２０が上昇する力を受け、可動板部２７が開口部１８を閉じるという構成を有する。
【００８１】
これにより、排水容器をレンジフード本体から取り外す際、開口部から乗り上げようとする水を抑えることができる。このため、排水容器から水がこぼれることを抑制できるレンジフードを得ることができる。
【００８２】
排水容器５がフード本体１に装着されている場合、排水４１がトレイ部１６に溜まることによって可動蓋２０が上昇する力が増加しても、可動板部２７の上面の一部と排水路４の下面の一部が接触することにより、可動蓋２０がそれ以上上昇せずに開口部１８が開いた状態を維持するという構成にしてもよい。
【００８３】
これにより、洗浄ケーシング３からの排水４１の排出を良好に続けることができる。
【００８４】
浮力部１９は、下面を開放した受部２３と上面を開放したカップ部２４とから構成してもよい。
【００８５】
これにより、使用者にとって取り扱い易い形状にしつつ、浮力部１９に対して浮力を与えることができる。カップ部２４は受部２３から取り外すことができるため、排水容器５を洗う際に、浮力部１９を洗い易くできる。すなわち、排水容器５のメンテナンス性を向上できる。
【００８６】
浮力部１９の底面１９ａを開放したという構成にしてもよい。
【００８７】
これにより、製造上の加工が容易になり部品点数を抑えることができる。
【００８８】
排水容器５がフード本体１に装着されている場合、可動板部２７の上面の一部と排水路４の下面の一部が接触することにより、可動蓋２０がそれ以上上昇せずに開口部１８が開いた状態を維持し、可動板部２７の上面の一部と排水路４の下面の一部が接触している状態において、浮力部１９の底面１９ａは略水平であるという構成にしてもよい。
【００８９】
これにより、底面１９ａの磨耗を抑制できるだけでなく、水こぼれ抑制効果も高めることができる。
【００９０】
浮力部１９は内部に気体を密閉した密閉構造１５としてもよい。
【００９１】
これにより、トレイ部１６に水が溜まった場合に、浮力部１９に対して確実な浮力を与えることができる。
【００９２】
可動蓋２０にバネ（板バネ２８）を接続し、バネ（板バネ２８）は、可動蓋２０に対し、可動板部２７が開口部１８を閉じる方向に力を加えるという構成にしてもよい。
【００９３】
これにより、浮力部１９に対する浮力が無い或いは弱い場合であっても、バネ（板バネ２８）は可動板部２７に対して開口部１８を閉じる方向に力を加えることができる。この結果、排水容器５を取り外す際、排水容器５からの水こぼれをさらに抑制することができる。
【００９４】
排水容器５がフード本体１に装着されている場合、可動板部２７の上面の一部と排水路４の下面４ａの一部が接触することにより、可動蓋２０がそれ以上上昇せずに開口部１８が開いた状態を維持し、可動板部２７の上面の一部と排水路４の下面４ａの一部が接触する部分を接触部３０とし、排水路４の下面４ａにおいて、接触部３０と反対側に切り込み形状２９を追加したという構成にしてもよい。
【００９５】
これにより、排水路４からトレイ部１６への水の流れをさらにスムーズにすることができる。
【００９６】
排水容器５がフード本体１に装着されている場合、可動板部２７の上面の一部と排水路４の下面４ａの一部が接触することにより、可動蓋２０がそれ以上上昇せずに開口部１８が開いた状態を維持し、排水路４の下面４ａは、可動板部２７に沿った斜め形状であり、排水路４の第１側面４ｂの一部を開放した正面排水口４５を有し、排水路４を流れる排水は正面排水口４５を介してトレイ部１６に送り込まれるという構成にしてもよい。
【００９７】
これにより、排水４１の流れを確保しつつ、排水路４の下面４ａの磨耗を抑制できる。
【００９８】
（実施の形態２）
実施の形態１と同じ構成の箇所は同じ符号を付与し、詳細な説明は省略する。
【００９９】
図１３および図１４に示すように、排水路４の下面に、排水口４９と、排水路蓋４６と、が設けられている。
【０１００】
排水口４９は、開口部１８と連通している。排水路４から流れる排水は、排水口４９を通過して排水容器５に送り込まれる。
【０１０１】
排水路蓋４６は、例えば板状で、排水口４９を塞ぐことができる。排水路蓋４６は、排水路４から排水容器５への排水の流入を切り替える。すなわち、排水路蓋４６が押し上げられ排水口４９が開となっている場合、排水路４から排水容器５へ排水が流入し、排水路蓋４６が下がり排水口４９が閉となっている場合、排水路４から排水容器５へ排水が流入しない構成とする。
【０１０２】
また、可動板部２７の上面に、押し上げピン４４が設けられている。押し上げピン４４は、排水容器５から排水路４に向かって突出するように設けられている。
【０１０３】
図１６に示すように、排水容器５がフード本体１に装着されている場合、押し上げピン４４が排水路蓋４６を押し上げる。これにより、排水口４９が開となり、排水路４を流れる排水は排水口４９と開口部１８を介して排水容器５に送り込まれる。
【０１０４】
また、図１７および図１８に示すように、排水容器５をフード本体１から取り外すと、排水路蓋４６が自重により下がってくる、すなわち図１７における矢印方向に動くことで、排水路蓋４６により排水口４９を塞ぐ（閉とする）ことができる。
【０１０５】
これにより排水容器５を取り外した後、排水路に付着した水滴の流れ４８すなわち排水路４の内面に付着した水滴の流れが排水路蓋４６によって堰き止められることで、水滴がフード本体１の下面方向に滴下することを抑制できる。
【０１０６】
また、排水路蓋４６は排水路４下面の端部４７を支点として回動し、押し上げピン４４は、浮力部１９と端部４７との間における可動板部２７上面に設けられる構成としてもよい。この構成において、排水容器５をフード本体１に取り付けると、押し上げピン４４が排水路蓋４６の端部４７付近の排水路蓋４６を押し上げる。
【０１０７】
これにより、排水路蓋４６が大きく可動することで排水口４９が開となる領域が広くとれるため、排水路４からの排水が通過できる領域が広くなり、排水時間のロスを短縮することができる。
【０１０８】
以上、本発明に係るレンジフードについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１０９】
本発明に係るレンジフードは、洗浄機能を備えたレンジフード等として有用である。
【符号の説明】
【０１１０】
１    フード本体
２    排気装置
３    洗浄ケーシング
４    排水路
４ａ    下面
４ｂ    第１側面
４ｃ    第２側面
５    排水容器
６    装着部材
７    吸込口
８    ダクト
９    吐出口
１０    羽根車
１１    モータ
１２    通風路
１３    整流板
１４    油捕集機構部
１５    密閉構造
１６    トレイ部
１７    蓋部
１８    開口部
１９    浮力部
１９ａ    底面
２０    可動蓋
２１    水ゆれ防止リブ部
２２    空気
２２ａ    空気
２３    受部
２４    カップ部
２５    凸部
２６    嵌め込み部
２７    可動板部
２７ａ    一辺
２８    板バネ
２９    切り込み形状
３０    接触部
３１    斜め形状
４１    排水
４２    水の流れ
４３    水の流れ
４４    押し上げピン
４５    正面排水口
４６    排水路蓋
４７    端部
４８    排水路に付着した水滴の流れ
４９    排水口
【図１】
2018136113.tif 000003
【図２】
2018136113.tif 000004
【図３】
2018136113.tif 000005
【図４】
2018136113.tif 000006
【図５】
2018136113.tif 000007
【図６】
2018136113.tif 000008
【図７】
2018136113.tif 000009
【図８】
2018136113.tif 000010
【図９】
2018136113.tif 000011
【図１０】
2018136113.tif 000012
【図１１】
2018136113.tif 000013
【図１２】
2018136113.tif 000014
【図１３】
2018136113.tif 000015
【図１４】
2018136113.tif 000016
【図１５】
2018136113.tif 000017
【図１６】
2018136113.tif 000018
【図１７】
2018136113.tif 000019
【図１８】
2018136113.tif 000020
【図１９】
2018136113.tif 000021